(57)【要約】【課題】吸収性物品の胴周り部の柔軟性を向上させつつ、胴周り部にたくれが生じることを抑制する。【解決手段】一対の胴周り部（２０，３０）と、吸収性本体（１０）とを有する吸収性物品（１）であって、胴周り部（２０）は、一対のシート（２１，２２）と複数の伸縮部材（２３）とを有し、複数の伸縮部材（２３）は、第１伸縮部材（２３１ａ）と、長手方向の一方側に隣り合う第２伸縮部材（２３１ｂ）とを有し、第１伸縮部材（２３１ａ）及び第２伸縮部材（２３１ｂ）が一対のシート（２１，２２）に固定されていない非固定部（５１）と、一対のシート（２１，２２）が互いに接合されたシート接合部（６０）とを有し、シート接合部（６０）は、長手方向において、少なくとも、第２伸縮部材（２３１ｂ）の一方側の端から、第１伸縮部材（２３１ａ）の他方側の端に亘って連続的に配置されている。【選択図】図４
2020151258.tif 000002
【特許請求の範囲】
【請求項１】
展開状態において、幅方向と、長手方向と、厚さ方向とを有し、
一対の胴周り部と、吸収性コアを備える吸収性本体とを有する吸収性物品であって、
前記一対の胴周り部のうちの少なくとも一方は、一対のシートと、前記一対のシート間に配置された前記幅方向に伸縮する複数の伸縮部材とを有し、
各前記伸縮部材は、前記一方の前記胴周り部の前記幅方向の一端部から他端部まで連続して配置され、かつ、前記幅方向の両端部が前記一対のシートに固定された一対の端部固定部を有し、
前記複数の伸縮部材は、第１伸縮部材と、前記長手方向において前記第１伸縮部材の一方側に隣り合う第２伸縮部材とを有し、
前記幅方向における前記端部固定部よりも内側の領域に、前記第１伸縮部材及び前記第２伸縮部材が前記一対のシートに固定されていない非固定部と、前記一対のシートの対向する面同士が互いに接合されたシート接合部とを有し、
前記シート接合部は、前記長手方向において、少なくとも、前記第２伸縮部材の前記一方側の端から、前記第１伸縮部材の前記長手方向の他方側の端に亘って連続的に配置されている、ことを特徴とする吸収性物品。
【請求項２】
請求項１に記載の吸収性物品であって、
前記シート接合部は、前記幅方向に間隔を空けて複数設けられている、ことを特徴とする吸収性物品。
【請求項３】
請求項１または２に記載の吸収性物品であって、
前記幅方向において、前記吸収性本体の両端よりも内側の領域に、前記シート接合部が少なくとも１つ設けられている、ことを特徴とする吸収性物品。
【請求項４】
請求項１〜３のいずれか１項に記載の吸収性物品であって、
前記吸収性本体と前記胴周り部とを接合する本体接合部を有し、
前記長手方向において、前記シート接合部と前記本体接合部とが重複する部分を有している、ことを特徴とする吸収性物品。
【請求項５】
請求項４に記載の吸収性物品であって、
前記厚さ方向に見たときに、前記シート接合部と前記本体接合部とが重複する部分を有している、ことを特徴とする吸収性物品。
【請求項６】
請求項１〜５のいずれか１項に記載の吸収性物品であって、
一対の前記胴周り部は、着用者の腹側部に当てられる腹側胴周り部と、前記着用者の背側部に当てられる背側胴周り部とを有し、
前記腹側胴周り部に、前記シート接合部が設けられている、ことを特徴とする吸収性物品。
【請求項７】
請求項６に記載の吸収性物品であって、
前記腹側胴周り部及び前記背側胴周り部に、前記シート接合部が設けられており、
前記腹側胴周り部に設けられた前記シート接合部の前記幅方向における長さの合計が、前記背側胴周り部に設けられた前記シート接合部の前記幅方向における長さの合計以上である、ことを特徴とする吸収性物品。
【請求項８】
請求項１〜７のいずれか１項に記載の吸収性物品であって、
前記胴周り部に設けられた前記シート接合部の前記幅方向における長さの合計は、
前記一対の端部固定部の間の前記幅方向における長さの１／２よりも小さい、ことを特徴とする吸収性物品。
【請求項９】
請求項１〜８のいずれか１項に記載の吸収性物品であって、
前記幅方向において、前記胴周り部の中心位置を跨いで配置された中央シート接合部を有する、ことを特徴とする吸収性物品。
【請求項１０】
請求項９に記載の吸収性物品であって、
複数の前記シート接合部を有し、
複数の前記シート接合部のうち、前記中央シート接合部の前記幅方向における長さが、前記中央シート接合部以外の前記シート接合部の前記幅方向における長さよりも長い、ことを特徴とする吸収性物品。
【請求項１１】
請求項１〜１０のいずれか１項に記載の吸収性物品であって、
前記幅方向において、前記シート接合部の少なくとも一部が、前記吸収性本体の両端と重複している、ことを特徴とする吸収性物品。
【請求項１２】
請求項１〜１１のいずれか１項に記載の吸収性物品であって、
前記幅方向において、前記シート接合部の長さの合計が、前記胴周り部の長さの１／４以上である、ことを特徴とする吸収性物品。
【請求項１３】
請求項１〜１２のいずれか１項に記載の吸収性物品であって、
前記長手方向において、前記シート接合部の長さの最大値が、前記胴周り部の上端と前記吸収性本体の上端との間の距離の１／２以上である、ことを特徴とする吸収性物品。
【請求項１４】
請求項１３に記載の吸収性物品であって、
前記長手方向において、前記胴周り部の上端と前記吸収性本体の上端との間で前記シート接合部が連続して設けられている、ことを特徴とする吸収性物品。
【請求項１５】
請求項１〜１４のいずれか１項に記載の吸収性物品であって、
前記長手方向において、前記胴周り部の上端には、前記一対のシートを互いに接合する接合部を有していない、ことを特徴とする吸収性物品。
【請求項１６】
請求項１〜１５のいずれか１項に記載の吸収性物品であって、
前記長手方向において、前記胴周り部の中心位置よりも上側に、前記シート接合部が設けられている、ことを特徴とする吸収性物品。
【発明の詳細な説明】
【技術分野】
【０００１】
本発明は、吸収性物品に関する。
【背景技術】
【０００２】
吸収性物品の胴周り部の伸縮構造として、２枚のシート層の間に、伸縮方向に沿って設けられた細長状の弾性伸縮部材を備えるものがある。例えば、特許文献１には、弾性伸縮部材の両端部が２枚のシート層に固定されるとともに、その固定端部の間では弾性伸縮部材が２枚のシート層に非固定の自由部となっており、さらに、固定端部の間の領域に、２枚のシート層がホットメルト接着剤を介して接合されたシート接合部を有する伸縮構造が開示されている。伸縮方向に連続するシート接合部によって、２枚のシート層が互いに沿うような波状（襞）をなし、襞の頂部が緩やかに曲がる結果、手触りが柔軟になるとされている。
【先行技術文献】
【特許文献】
【０００３】
【特許文献１】特許第６２５４６２５号公報
【発明の概要】
【発明が解決しようとする課題】
【０００４】
特許文献１の吸収性物品では、胴周り部において、弾性伸縮部材両端の固定端部間で弾性伸縮部材が２枚のシート層に固定されていないため、吸収性物品の着用時において、胴周り部に対する弾性伸縮部材の相対的な位置がずれてしまう場合がある（例えば、上下方向の位置ずれ）。また、そのような位置ずれが生じることにより、上下方向に並んでいる複数の弾性伸縮部材間の距離（間隔）が小さくなる場合がある。その結果、吸収性物品の着用時に、フィット性が悪化したり、胴周り部を構成するシートに“たくれ”が生じたりするおそれがある。これに対して、弾性伸縮部材の全体を胴周り部に固定した場合、弾性伸縮部材の位置ずれを抑制することが可能である。しかし、弾性伸縮部材によって２枚のシート層を固定する部分の面積が大きくなると、胴周り部の柔軟性が損なわれるおそれがある。
【０００５】
本発明は、上記のような問題に鑑みてなされたものであって、その目的とするところは、吸収性物品の胴周り部の柔軟性を向上させつつ、胴周り部にたくれが生じることを抑制することにある。
【課題を解決するための手段】
【０００６】
上記目的を達成するための主たる発明は、展開状態において、幅方向と、長手方向と、厚さ方向とを有し、一対の胴周り部と、吸収性コアを備える吸収性本体とを有する吸収性物品であって、前記一対の胴周り部のうちの少なくとも一方は、一対のシートと、前記一対のシート間に配置された前記幅方向に伸縮する複数の伸縮部材とを有し、各前記伸縮部材は、前記一方の前記胴周り部の前記幅方向の一端部から他端部まで連続して配置され、かつ、前記幅方向の両端部が前記一対のシートに固定された一対の端部固定部を有し、前記複数の伸縮部材は、第１伸縮部材と、前記長手方向において前記第１伸縮部材の一方側に隣り合う第２伸縮部材とを有し、前記幅方向における前記端部固定部よりも内側の領域に、前記第１伸縮部材及び前記第２伸縮部材が前記一対のシートに固定されていない非固定部と、前記一対のシートの対向する面同士が互いに接合されたシート接合部とを有し、前記シート接合部は、前記長手方向において、少なくとも、前記第２伸縮部材の前記一方側の端から、前記第１伸縮部材の前記長手方向の他方側の端に亘って連続的に配置されている、ことを特徴とする吸収性物品である。
本発明の他の特徴については、本明細書及び添付図面の記載により明らかにする。
【発明の効果】
【０００７】
本発明によれば、吸収性物品の胴周り部の柔軟性を向上させつつ、胴周り部にたくれが生じることを抑制することができる。
【図面の簡単な説明】
【０００８】
【図１】パンツ型使い捨ておむつ１の概略斜視図である。
【図２】展開状態かつ伸長状態のおむつ１の概略平面図である。
【図３】図２のＩ‐Ｉ線での概略断面図である。
【図４】おむつ１に設けられる各種接合部について説明する概略平面図である。
【図５】図４のII‐II線での概略断面図である。
【図６】胴周り部２０において、シート接合部６０の配置について説明する概略平面図である。
【発明を実施するための形態】
【０００９】
本明細書及び添付図面の記載により、少なくとも以下の事項が明らかとなる。
展開状態において、幅方向と、長手方向と、厚さ方向とを有し、一対の胴周り部と、吸収性コアを備える吸収性本体とを有する吸収性物品であって、前記一対の胴周り部のうちの少なくとも一方は、一対のシートと、前記一対のシート間に配置された前記幅方向に伸縮する複数の伸縮部材とを有し、各前記伸縮部材は、前記一方の前記胴周り部の前記幅方向の一端部から他端部まで連続して配置され、かつ、前記幅方向の両端部が前記一対のシートに固定された一対の端部固定部を有し、前記複数の伸縮部材は、第１伸縮部材と、前記長手方向において前記第１伸縮部材の一方側に隣り合う第２伸縮部材とを有し、前記幅方向における前記端部固定部よりも内側の領域に、前記第１伸縮部材及び前記第２伸縮部材が前記一対のシートに固定されていない非固定部と、前記一対のシートの対向する面同士が互いに接合されたシート接合部とを有し、前記シート接合部は、前記長手方向において、少なくとも、前記第２伸縮部材の前記一方側の端から、前記第１伸縮部材の前記長手方向の他方側の端に亘って連続的に配置されている、ことを特徴とする吸収性物品。
【００１０】
このような吸収性物品によれば、伸縮部材に非固定部を設けることによって、接着剤の硬化等による影響が小さくなり、胴周り部が硬くなってしまうことを抑制できる。そして、長手方向に連続するシート接合部によって、胴周り部を構成する一対のシート間に伸縮部材の一部が固定されていることにより、該伸縮部材の上下方向の位置ずれが抑制されると共に、上下方向に並んでいる複数の弾性部材間の剛性を高めることができる。これにより、吸収性物品の着用時において胴周り部をたくれ難くすることができる。つまり、胴周り部の柔軟性を向上させつつ、胴周り部にたくれが生じることを抑制することができる。
【００１１】
かかる吸収性物品であって、前記シート接合部は、前記幅方向に間隔を空けて複数設けられている、ことが望ましい。
【００１２】
このような吸収性物品によれば、シート接合部が１つだけ設けられている場合と比較して、幅方向の広い範囲に亘って、伸縮部材の上下方向の位置ずれを抑制しやすくすることができる。また、シート接合部の各々が胴回り部を構成するシートを上下方向に支える柱のように機能し、胴回り部が上下にたくれに難くなる。したがって、複数のシート接合部が設けられている領域において、胴周り部のたくれやフィット性の悪化がより抑制される。また、胴周り部を構成している一対のシート同士を接合する箇所が増えるため、胴周り部の強度を全体的に高めることができる。
【００１３】
かかる吸収性物品であって、前記幅方向において、前記吸収性本体の両端よりも内側の領域に、前記シート接合部が少なくとも１つ設けられている、ことが望ましい。
【００１４】
このような吸収性物品によれば、幅方向において吸収性本体の両端よりも内側の領域にて伸縮部材がシート接合部によって接合されていることにより、当該領域において胴周り部がたくれることを抑制することができる。また、当該領域では伸縮部材による伸縮力が作用しやすくなるため、吸収性本体が着用者の身体にフィットしやすくなり、尿等の排泄物が外部に漏出したり、吸収性コアの位置ずれが生じたりすることを抑制できる。
【００１５】
かかる吸収性物品であって、前記吸収性本体と前記胴周り部とを接合する本体接合部を有し、前記長手方向において、前記シート接合部と前記本体接合部とが重複する部分を有している、ことが望ましい。
【００１６】
このような吸収性物品によれば、長手方向においてシート接合部と本体接合部との間に隙間が生じて、当該隙間の部分において胴周り部の剛性が局所的に低くなってしまうことを抑制できる。したがって、剛性が低い部分を起点として胴周り部が長手方向に折れ曲がったり変形したりすることが抑制され、胴周り部においてたくれを生じ難くすることができる。
【００１７】
かかる吸収性物品であって、前記厚さ方向に見たときに、前記シート接合部と前記本体接合部とが重複する部分を有している、ことが望ましい。
【００１８】
このような吸収性物品によれば、シート接合部と本体接合部とが重複する部分において胴周り部の剛性がより高くなり、たくれを生じ難くすることができる。また、シート接合部と本体接合部とが、長手方向に沿って連続した接合部を形成するため、長手方向の広い範囲に亘って剛性が確保されやすくなり、胴周り部の長手方向への変形をより抑制しやすくすることができる。
【００１９】
かかる吸収性物品であって、一対の前記胴周り部は、着用者の腹側部に当てられる腹側胴周り部と、前記着用者の背側部に当てられる背側胴周り部とを有し、前記腹側胴周り部に、前記シート接合部が設けられている、ことが望ましい。
【００２０】
このような吸収性物品によれば、腹側において胴周り部のたくれが抑制されやすくなるため、乳幼児等お腹がぽっこりと出た体型をしている着用者に着用させた場合でも、お腹がしっかりと覆われやすくなる。したがって、着用者のお腹が露出したたり、腹側におけるフィット性が悪化したりすることを抑制できる。
【００２１】
かかる吸収性物品であって、前記腹側胴周り部及び前記背側胴周り部に、前記シート接合部が設けられており、前記腹側胴周り部に設けられた前記シート接合部の前記幅方向における長さの合計が、前記背側胴周り部に設けられた前記シート接合部の前記幅方向における長さの合計以上である、ことが望ましい。
【００２２】
このような吸収性物品によれば、胴周り部に対して伸縮部材が固定されている部分の幅が、背側と比較して腹側で大きくなり、腹側における伸縮部材の位置ずれがより抑制されやすくなる。すなわち、背側胴周り部においてたくれを生じ難くしつつ、腹側胴周り部におけるたくれをより生じ難くすることができる。
【００２３】
かかる吸収性物品であって、前記胴周り部に設けられた前記シート接合部の前記幅方向における長さの合計は、前記一対の端部固定部の間の前記幅方向における長さの１／２よりも小さい、ことが望ましい。
【００２４】
このような吸収性物品によれば、胴周り部のうち、幅方向両側に設けられた端部固定部の間の領域において、胴周り部を構成する一対のシート同士が接合されていない部分の割合が接合されている部分の割合よりも大きくなり、胴周り部の柔軟性が維持されやすい。これにより、吸収性物品着用時における胴周り部の良好な肌触りを実現しやすくなる。
【００２５】
かかる吸収性物品であって、前記幅方向において、前記胴周り部の中心位置を跨いで配置された中央シート接合部を有する、ことが望ましい。
【００２６】
このような吸収性物品によれば、伸縮部材の上下方向への位置ずれが大きくなりやすい胴周り部の幅方向の中心位置において、中央シート接合部によって、伸縮部材を一対のシート間に固定できる。これにより、幅方向中心位置における伸縮部材の上下方向の位置ずれが相対的に小さくなり、胴周り部のたくれをより抑制しやすくなる。
【００２７】
かかる吸収性物品であって、複数の前記シート接合部を有し、複数の前記シート接合部のうち、前記中央シート接合部の前記幅方向における長さが、前記中央シート接合部以外の前記シート接合部の前記幅方向における長さよりも長い、ことが望ましい。
【００２８】
このような吸収性物品によれば、幅方向の中心位置において、伸縮部材が一対のシート間に固定される部分の範囲（幅）を広くすることができる。これにより、伸縮部材の上下方向の位置ずれが抑制され、胴周り部のたくれをより抑制しやすくなる。
【００２９】
かかる吸収性物品であって、前記幅方向において、前記シート接合部の少なくとも一部が、前記吸収性本体の両端と重複している、ことが望ましい。
【００３０】
このような吸収性物品によれば、吸収性本体の幅方向における両端部は、胴周り部において剛性が高い領域と低い領域との境界となる部分であることから、当該両端部と重複してシート接合部を設け、境界における剛性の変化を小さくすることで、胴周り部が変形する起点を形成し難くすることができる。これにより、胴周り部にたくれが生じることをより抑制しやすくすることができる。
【００３１】
かかる吸収性物品であって、前記幅方向において、前記シート接合部の長さの合計が、前記胴周り部の長さの１／４以上である、ことが望ましい。
【００３２】
このような吸収性物品によれば、吸収性物品の着用動作時に、着用者等によって胴周り部が掴まれ、引っ張り上げられる際に、胴周り部が破れたり、一対のシートが剥離したりすることが抑制される。
【００３３】
かかる吸収性物品であって、前記長手方向において、前記シート接合部の長さの最大値が、前記胴周り部の上端と前記吸収性本体の上端との間の距離の１／２以上である、ことが望ましい。
【００３４】
このような吸収性物品によれば、たくれが生じやすい胴周り部上端部において、長手方向の半分以上の範囲で、該胴回り部を構成するシート部材がシート接合部６０によって長手方向に支えられるため、胴周り部にたくれが生じ難くなる。また、胴周り部の上端部における強度が確保されやすくなることにより、吸収性物品の着用動作時に、着用者等によって当該上端部領域が掴まれて引っ張られた場合であっても、胴周り部を破れ難くすることができる。
【００３５】
かかる吸収性物品であって、前記長手方向において、前記胴周り部の上端と前記吸収性本体の上端との間で前記シート接合部が連続して設けられている、ことが望ましい。
【００３６】
このような吸収性物品によれば、たくれが生じやすい胴周り部の上端部において、該胴回り部を構成するシート部材がシート接合部６０によって長手方向に連続して支えられるため、胴周り部にたくれがより生じ難くなる。また、胴周り部の上端部の強度が全体的に高められるため、該胴周り部が長手方向（上下方向）に対する引っ張りに強くなる。したがって、シート接合部が長手方向に断続的に形成されている場合と比較して、胴周り部の上端部が破れてしまうこと等が抑制されやすくなる。
【００３７】
かかる吸収性物品であって、前記長手方向において、前記胴周り部の上端には、前記一対のシートを互いに接合する接合部を有していない、ことが望ましい。
【００３８】
このような吸収性物品によれば、胴周り部の上端にドライエッジが形成されるため、該上端における柔軟性が高まり、吸収性物品の着用時に胴周り部の上端エッジが着用者の肌に食い込み難くなる。これにより、胴周り部の良好な肌触りを実現できる。
【００３９】
かかる吸収性物品であって、前記長手方向において、前記胴周り部の中心位置よりも上側に、前記シート接合部が設けられている、ことが望ましい。
【００４０】
このような吸収性物品によれば、着用動作時に、着用者等に掴まれる可能性が高い胴周り部の長手方向上側領域の強度が高まり、該胴周り部が破れたりたくれが生じたりすることを効果的に抑制することができる。
【００４１】
＝＝＝実施形態＝＝＝
以下、本発明に係る吸収性物品として、乳幼児用のパンツ型使い捨ておむつを例に挙げて実施形態を説明する。ただし、本発明に係る吸収性物品は、上記に限らず、大人用のパンツ型使い捨ておむつや、テープ型の使い捨ておむつ、生理用ショーツ等にも適用できる。
【００４２】
＜パンツ型使い捨ておむつ１の構成＞
図１は、本実施形態のパンツ型使い捨ておむつ１（以下「おむつ１」）の概略斜視図である。図２は、展開状態かつ伸長状態のおむつ１の概略平面図である。図３は、図２のＩ‐Ｉ線での概略断面図である。おむつ１における「展開状態」とは、後述する係止部４０の接合を解いて、一対の胴周り部２０，３０（後述）を分離し、おむつ１を長手方向に開いた状態である。また、おむつ１における「伸長状態」とは、おむつ１を皺なく伸長させた状態であり、おむつ１を構成する各部材（例えば胴周り部２０，３０等）の寸法がその部材単体の寸法と一致又はそれに近い長さになるまで伸長した状態である。
【００４３】
おむつ１は、図１に示すパンツ型状態において、幅方向、上下方向、及び、前後方向を有し、胴周り開口部ＢＨ、及び、一対の脚周り開口部ＬＨが形成されている。上下方向において、胴周り側を上側とし、股下側を下側とする。前後方向において、着用者の腹側を前側とし、着用者の背側を後側とする。また、図３に示すように、おむつ１を構成する資材が積層された方向を厚さ方向といい、厚さ方向において着用者に接触する側を肌側とし、着用者に接触しない側を非肌側とする。また、図２の展開状態において、おむつ１は、互いに交差する長手方向及び幅方向を有している。長手方向は、上下方向に沿った方向であり、幅方向は、図１のパンツ型状態における幅方向と同じ方向である。
【００４４】
おむつ１は、一対の胴周り部２０，３０と、吸収性本体１０とを有する。一対の胴周り部２０，３０のうち、着用者の腹側部に当てられるものを腹側胴周り部２０とし、着用者の背側部に当てられるものを背側胴周り部３０とする。
【００４５】
また、おむつ１は、図２に示す展開状態において、幅方向における腹側胴周り部２０の中央部に、吸収性本体１０の長手方向一方側（腹側）の端部が配置され、幅方向における背側胴周り部３０の中央部に、吸収性本体１０の長手方向他方側（背側）の端部が配置されている。展開状態のおむつ１において、吸収性本体１０がその長手方向の略中央で二つ折りされ、腹側胴周り部２０及び背側胴周り部３０それぞれの幅方向の両側部が一対の係止部４０において係止されることにより、図１に示すパンツ型状態のおむつ１となる。また、係止部４０における係止方法としては、溶着や接着剤による接合等を例示できる。
【００４６】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００４７】
吸収体１１は、図２に示すように、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。なお、吸収性コア１１Ａがコアラップシート１１Ｂで覆われていなくても良い。
【００４８】
腹側胴周り部２０及び背側胴周り部３０は、図３に示すように、それぞれ、不織布等の柔軟な肌側シート２１，３１及び非肌側シート２２，３２（一対のシート）と、肌側シート２１，３１と非肌側シート２２，３２の間に配置された幅方向に伸縮する複数の胴周り伸縮部材２３，３３とを有する。複数の胴周り伸縮部材２３，３３は、肌側シート２１，３１と非肌側シート２２，３２の間において、上下方向（長手方向）に間隔を空けて並んで配置されるとともに、幅方向に伸長した状態で固定されている。よって、腹側胴周り部２０及び背側胴周り部３０は幅方向に伸縮し、着用者の胴周り部にフィットする。なお、胴周り伸縮部材２３，３３としては、糸ゴム等の糸状の伸縮部材や、細長の伸縮性シートを例示できる。
【００４９】
また、本実施形態の胴周り部２０，３０では、非肌側シート２２，３２の一部が、長手方向の外側端（上下方向の上側端）にて肌側に折り返され、当該折り返された部分が肌側シート２１や吸収性本体１０の肌側に重なるような構成となっている（図３参照）。但し、胴周り部２０，３０の構成は図示するものに限定されず、例えば、一対のシートに異なるシートが積層された３層以上の構成であっても良いし、１枚のシートが折り曲げられて一対のシートとなった構成であっても良い。
【００５０】
また、本実施形態では、パンツ型使い捨ておむつとして、腹側胴周り部２０と背側胴周り部３０が分離され、腹側胴周り部２０と背側胴周り部３０と吸収性本体１０の３部材を有する所謂３ピースタイプを例示したがこれに限らない。例えば、腹側胴周り部２０と背側胴周り部３０が股下部を介して連続した一部材で形成されており、腹側胴周り部２０と背側胴周り部３０が一体化された外装部材と、吸収性本体の２部材を有する所謂２ピースタイプのパンツ型使い捨ておむつであっても良い。
【００５１】
＜胴周り部２０，３０について＞
続いて、腹側胴周り部２０を例に挙げて一対の胴周り部２０，３０の構成を説明する。ただし、一対の胴周り部２０，３０のうちの少なくとも一方が以下の構成であれば良い。すなわち、両胴周り部２０，３０が以下の構成であっても良いし、腹側胴周り部２０が以下の構成と異なり背側胴周り部３０が以下の構成であっても良いし、腹側胴周り部２０が以下の構成であり背側胴周り部３０が以下の構成と異なっていても良い。他の実施形態も同様である。
【００５２】
図４は、おむつ１に設けられる各種接合部について説明する概略平面図である。同図４は、図２と同様に、展開状態かつ伸長状態のおむつ１について表している。図５は、図４のII‐II線での概略断面図である。
【００５３】
腹側胴周り部２０（以下「胴周り部２０」）が有する複数の胴周り伸縮部材２３は、胴周り部２０の幅方向の一端部から他端部まで連続して配置された複数の「連続伸縮部材２３１（本発明の伸縮部材）」と、幅方向に非連続に配置された複数の「非連続伸縮部材２３２」とを有する。
【００５４】
連続伸縮部材２３１は、その幅方向の両端部が肌側シート２１及び非肌側シート２２に固定された「一対の端部固定部５０」を有する。なお、端部固定部５０における固定方法は、特に限定されず、例えば、連続伸縮部材２３１に塗布された接着剤による固定や、肌側シート２１及び非肌側シート２２（以下「一対のシート２１，２２」）の内側面に塗布された接着剤による固定や、連続伸縮部材２３１を横切る一対の溶着部で固定する方法等、周知の方法を例示できる。
【００５５】
また、図４では、一対の端部固定部５０が、一対の係止部４０とは別に、一対の係止部４０よりも幅方向の内側に配置されている。ただし、これに限定されない。一対の係止部４０を一対の端部固定部としても良い。つまり、おむつ１は図４に示す端部固定部５０を有していなくても良い。
【００５６】
連続伸縮部材２３１は、幅方向における端部固定部５０よりも内側において、一対のシート２１，２２に固定されていない「非固定部５１」を有する。図４では、幅方向の一方側の端部固定部５０から他方側の端部固定部５０に亘って、非固定部５１が連続して設けられている。すなわち、連続伸縮部材２３１が配置されている領域のうち、幅方向において、一対の端部固定部５０，５０の内側端の間の領域に、非固定部５１が形成されている。
【００５７】
非連続伸縮部材２３２は、胴周り部２０において、最も下方に配置されている連続伸縮部材２３１よりも下方（長手方向の内側）に配置されている。非連続伸縮部材２３２は、幅方向において吸収性コア１１Ａと重複する領域Ｒ１（幅方向における中央部）の少なくとも一部において、非連続となっている（図２及び図４参照）。つまり、吸収性本体１０と重複する領域に設けられている胴周り伸縮部材２３の一部は、幅方向の中央部において非伸縮領域（非連続の部分）を有する。そのため、胴周り伸縮部材２３による吸収性コア１１Ａの収縮を抑制でき、吸収性コア１１Ａの平坦性を確保できる。
【００５８】
この非連続伸縮部材２３２は、端部固定部５５、及び、非固定部５６を有している。端部固定部５５は、非連続伸縮部材２３２の連続部分における幅方向の両端部が一対のシート２１，２２に固定された部位である。非固定部５６は、端部固定部５５の間において非連続伸縮部材２３２が一対のシート２１，２２に固定されていない部位である。具体的には、図４に示すように、胴周り部２０の幅方向一方側の端部と、吸収性コア１１Ａの幅方向一方側の端部に、一対の端部固定部５５，５５が配置され、その間に非固定部５６が配置されている。同様に、吸収性コア１１Ａの幅方向他方側の端部と、胴周り部２０の幅方向他方側の端部に、一対の端部固定部５５，５５が配置され、その間に非固定部５６が配置されている。
【００５９】
おむつ１において、胴周り伸縮部材２３（２３１，２３２）が一対のシート２１，２２に固定されていない部分（非固定部５１，５６）では、胴周り伸縮部材２３が一対のシート２１，２２に固定されている部分（端部固定部５０，５５）と比較して、接着剤の硬化等による影響がないため、胴周り部２０の剛性が低くなる。すなわち、胴周り伸縮部材２３に非固定部５１，５６を設けることにより、胴周り部２０の柔軟性が向上し、おむつ１着用時における肌触りを良好なものとすることができる。
【００６０】
また、胴周り部２０の幅方向において、一対の端部固定部５０，５０の内側の間の領域（すなわち、非固定部５１が設けられている領域）には、厚さ方向に積層された肌側シート２１と非肌側シート２２とを接合するシート接合部６０が設けられている。シート接合部６０は、肌側シート２１の非肌側面及び非肌側シート２２の肌側面の少なくとも一方の所定の領域に、ホットメルト接着剤等の接着材が塗布されることによって形成され、一対のシート２１，２２の対向する面同士を互いに接合している（図５参照）。本実施形態では、長手方向（上下方向）に沿った縦長の矩形状のシート接合部６０が、幅方向に間隔を空けて複数並んで配置されている（図４参照）。シート接合部６０の大きさや配置の詳細については、後で説明する。
【００６１】
また、おむつ１において、胴周り部２０（３０）と吸収性本体１０とが厚さ方向に重なる領域には、胴周り部２０（３０）と吸収性本体１０とを接合する本体接合部７０が設けられている。本体接合部７０は、胴周り部２０の肌側面（肌側シート２１の肌側面）及び吸収性本体１０の非肌側面（外装シート１４の非肌側面）の少なくとも一方の所定の領域に、ホットメルト接着剤等の接着材が塗布されることによって形成され、胴周り部２０と吸収性本体１０とを厚さ方向に接合している（図５参照）。本実施形態では、長手方向（上下方向）に沿った縦長の矩形状の本体接合部７０が、幅方向に間隔を空けて複数並んで配置されている（図４参照）。そして、厚さ方向（前後方向）に見たときに、複数の本体接合部７０の一部が、シート接合部６０と重複するように配置されている。
【００６２】
図６は、胴周り部２０において、シート接合部６０の配置について説明する概略平面図である。図６では、胴周り部２０の長手方向における外側（他方側）から内側（一方側）（すなわち、上下方向における上側から下側）へ向かって、連続伸縮部材２３１ａ〜連続伸縮部材２３１ｅの５本の連続伸縮部材２３１が、所定の間隔を空けて隣り合うように配置されている。そして、５本の連続伸縮部材２３１のうち、胴周り部２０の上端に配置さ連続伸縮部材２３１ａを除く４本の連続伸縮部材２３１ｂ〜２３１ｅを跨ぐ（交差する）ように、長手方向（上下方向）に沿った複数のシート接合部６０，６０…が設けられている。なお、シート接合部６０は、必ずしも４本の連続伸縮部材２３１ｂ〜２３１ｅの全てを跨いでいる必要はないが、少なくとも長手方向に隣り合って配置されている２本の連続伸縮部材２３１，２３１を跨いでいるものとする。
【００６３】
例えば、シート接合部６０は、長手方向において、連続伸縮部材２３１ｂ（第１伸縮部材とする）の上端（他方側の端）から、連続伸縮部材２３１ｃ（第２伸縮部材とする）の下端（一方側の端）に亘って連続的に配置されている。これにより、長手方向に隣り合う２本の連続伸縮部材２３１ｂ，２３１ｃ（第１伸縮部材及び第２伸縮部材）が、シート接合部６０によって一対のシート２１，２２に接合され、固定される。図６の場合、４本の連続伸縮部材２３１ｂ〜２３１ｅが、シート接合部６０と交差する領域において、一対のシート２１，２２にそれぞれ固定されている。
【００６４】
上述したように、おむつ１では、連続伸縮部材２３１（胴周り伸縮部材２３）に非固定部５１を設けることにより、胴周り部２０の柔軟性を向上させている。しかしながら、非固定部５１が設けられている部分では、連続伸縮部材２３１が一対のシート２１，２２に固定されていないため、おむつ１の着用時において、該連続伸縮部材２３１が上下方向に移動してしまう場合がある。すなわち、胴周り部２０に対して連続伸縮部材２３１の上下方向における位置ずれが生じるおそれがある。また、そのような位置ずれが生じることにより、上下方向において、複数並んで配置されている連続伸縮部材２３１，２３１間の距離（間隔）が小さくなる場合がある。
【００６５】
おむつ１を着用する際に、胴周り部２０で、上下方向において、連続伸縮部材２３１の位置ずれが生じたり、連続伸縮部材２３１，２３１の間隔が狭くなったりすると、胴周り部２０を構成するシート２１，２２に上下方向のたくれが生じたり、着用者の胴周り部における締め付けが不均一になって胴周り部２０のフィット性が悪化したりするおそれがある。特に、おむつ１では、端部固定部５０，５０の間で、幅方向の広い領域において非固定部５１が設けられていることにより、連続伸縮部材２３１の位置ずれが大きくなって、胴周り部２０にたくれ等が生じやすい。
【００６６】
これに対して、本実施形態では長手方向に沿ったシート接合部６０によって、連続伸縮部材２３１の一部が一対のシート２１，２２に固定されているため、上述のような連続伸縮部材２３１の上下方向の位置ずれを生じ難くすることができる。そして、長手方向に沿って連続的にシート接合部６０が設けられていることによって、長手方向（上下方向）に複数並ぶ連続伸縮部材２３１，２３１間で胴回り部２０の剛性が高まり、たくれを生じ難くすることができる。一方で、シート接合部６０は、図４や図６に示されるように長手方向に沿った細長い帯状に形成されているため、シート２１，２２と連続伸縮部材２３１とが実際に固定されている部分の面積は小さく、ユーザー（使用者や着用者）にシート２１，２２の硬化を感じさせ難い。したがって、胴周り部２０の柔軟性を向上させつつ、胴周り部２０にたくれが生じることを抑制することができる。
【００６７】
さらに、本実施形態では、シート接合部６０が、幅方向に間隔を空けて複数設けられている。したがって、シート接合部６０が１つだけ設けられている場合と比較して、端部固定部５０，５０の間の幅方向の広い範囲に亘って、連続伸縮部材２３１の上下方向の位置ずれを抑制しやすくすることができる。また、複数のシート接合部６０，６０…の各々が胴回り部を構成するシートを上下方向に支える柱のように機能するため、胴回り部２０が上下にたくれに難くなる。したがって、複数のシート接合部６０，６０…が設けられている領域において、胴周り部２０のたくれやフィット性の悪化をより抑制しやすくすることができる。
【００６８】
また、シート接合部６０が幅方向に複数設けられていることにより、端部固定部５０，５０の間で一対のシート２１，２２同士が互いに接合される箇所が増え、胴周り部２０の強度を高めることができる。したがって、おむつ１の着用時に該胴周り部２０を上方へ（つまり、着用者のつま先側から股下側へ）引っ張り上げる動作等が行われる際に、胴周り部２０が破れてしまうことを抑制することができる。
【００６９】
また、図６のように複数のシート接合部６０の幅方向における間隔を等間隔とすることにより、一対のシート２１，２２の間で連続伸縮部材２３１を幅方向に均等に固定することができる。すなわち、幅方向のどの位置でも連続伸縮部材２３１の上下方向の位置ずれを抑制しやすくすることが可能となり、また、胴周り部２０に対して連続伸縮部材２３１による伸縮力を均等に作用させることができる。このようにすれば、おむつ１（胴周り部２０）のフィット性をより高めることができる。
【００７０】
なお、図６では複数のシート接合部６０がいずれも同じ形状（大きさ）となるように形成されている。すなわち、複数のシート接合部６０は、いずれも長手方向における長さがＬ６０、幅方向における長さ（幅）がＷ６０となる縦長の矩形状であるが（Ｌ６０＞Ｗ６０）、複数のシート接合部６０は必ずしも同一形状である必要はない。例えば、長手方向における長さＬ６０や幅方方向における長さＷ６０がそれぞれ異なっていても良いし、楕円形やその他の形状であっても良い。
【００７１】
また、胴周り部２０のうち、幅方向において吸収性本体１０と重複する領域Ｒ１に少なくとも１つのシート接合部６０が設けられている。言い換えると、幅方向において、吸収性本体１０の両端よりも内側の領域に少なくとも１つのシート接合部６０を有している。図６では、幅方向において、吸収性本体１０の両端１０ｅｓ，１０ｅｓよりも内側の領域に、９つのシート接合部６０が設けられている。これにより、図６のＲ１で示される範囲において胴周り部２０のたくれの発生を抑制しやすくすることができる。
【００７２】
おむつ１の着用時に、この領域Ｒ１のうち吸収性本体１０よりも上側の部分で胴周り部２０にたくれが生じると、吸収性本体１０の上端１０ｅｕにおいて吸収性本体１０と着用者の身体（腹部）との間に隙間が生じてしまうおそれがある。この場合、当該隙間から尿等の排泄物が外部に漏出したり、吸収性本体１０（吸収性コア１１Ａ）の位置ずれが生じたりするおそれがある。
【００７３】
これに対して、本実施形態のおむつ１では、幅方向において吸収性本体１０の両端１０ｅｓ，１０ｅｓよりも内側の領域（図６のＲ１）にシート接合部６０が設けられているため、当該領域において胴周り部２０に対して連続伸縮部材２３１による伸縮力が作用しやすくなっている。これにより、胴周り部２０のたくれが抑制されると共に、吸収性本体１０（吸収性コア１１Ａ）の位置ずれが抑制され、排泄物を漏れ難くすることができる。
【００７４】
また、おむつ１の主たる着用対象者である乳幼児は、一般に、お腹がぽっこりと出た体型をしていることが多いため、腹側胴周り部２０にたくれが生じると、お腹をしっかりと覆うことができなくなる場合がある。例えば、おむつ１の着用時において、乳幼児のぽっこりと出たお腹の傾斜に沿って腹側胴周り部２０が上下方向の上側から下側（胴周り側から股下側）へたくれた場合、乳幼児のお腹が露出してしまったり、胴周り部２０のフィット性が悪化しておむつ１全体の位置ずれが生じたりするおそれがある。
【００７５】
これに対して、おむつ１では腹側胴周り部２０にシート接合部６０が設けられていることによって、腹側において胴周り部２０のたくれが抑制されるので、乳幼児に着用させた場合であっても、お腹がしっかりと覆われやすい。したがって、乳幼児のお腹が露出したたり、腹側におけるフィット性が悪化したりすることを抑制できる。
【００７６】
なお、図４に示されるように、シート接合部６０は、腹側胴周り部２０のみならず、背側胴周り部３０にも設けられていることが望ましい。これにより、背側においても腹側と同様に、胴周り部３０のたくれが抑制され、おむつ１着用時において、乳幼児の背中が露出したり、背側におけるフィット性が悪化したりすることが抑制される。
【００７７】
このとき、腹側胴周り部２０に設けられたシート接合部６０（便宜的にシート接合部６０ｆとする）の各々の幅方向における長さ（幅）Ｗ６０ｆの合計が、背側胴周り部３０に設けられた複数のシート接合部６０（便宜的にシート接合部６０ｂとする）の各々の幅方向における長さ（幅）Ｗ６０ｂの合計以上となることが望ましい。このようにすれば、胴周り部２０，３０に対して連続伸縮部材２３１が固定される部分の幅が、背側と比較して腹側で大きくなる。つまり、背側と比較して、腹側において連続伸縮部材２３１が一対のシート２１，２２のより広い範囲で接合されることとなる。これにより、背側における連続伸縮部材３３１の位置ずれを抑制しつつ、腹側において連続伸縮部材２３１の位置ずれがより抑制されやすくなる。すなわち、背側胴周り部３０のたくれを抑制しつつ、腹側胴周り部２０のたくれをより抑制しやすくすることができる。上述の様に、おむつ１の主な着用対象者は乳幼児であり、お腹側がぽっこりと出た体型をしているため、背側胴周り部３０と比較して腹側胴周り部２０をよりたくれにくくすることにより、乳幼児のお腹が露出してしまうこと等を効果的に抑制できる。これにより、乳幼児により好適なおむつ１を提供することが可能となる。
【００７８】
また、おむつ１の胴周り部２０（３０）において、非固定部５１が設けられている領域中でシート接合部６０が占めている部分の幅方向における長さは、該非固定部５１が設けられている領域の幅方向における長さの１／２よりも小さい。言い換えると、胴周り部２０において、複数のシート接合部６０の幅方向における長さＷ６０の合計は、幅方向において端部固定部５０，５０の間の領域の幅方向における長さ（図６において５１で示されている領域の幅）の１／２未満である。仮に、端部固定部５０，５０の間の領域において、シート接合部６０の幅の合計が当該領域の幅の半分以上である場合、胴周り部２０のうち一対のシート２１，２２同士が接合されている部分の割合が、接合されていない部分の割合よりも大きくなる。この場合、胴周り部２０の柔軟性が損なわれ、おむつ１着用時の肌触りが大きく悪化するおそれがある。
【００７９】
これに対して、本実施形態では、図６からも明らかなように、シート接合部６０の幅方向における長さの合計が、端部固定部５０，５０の間の領域の幅方向における長さの半分よりも小さくなっている。したがって、当該領域中では、一対のシート２１，２２が接合されていない部分の割合が大きくなり、胴周り部２０の柔軟性が維持されやすい。これにより、おむつ１着用時における胴周り部２０の良好な肌触りを実現しやすくなる。
【００８０】
さらに、シート接合部６０の、幅方向における長さ（幅）Ｗ６０の合計は、胴周り部２０の幅方向における長さＷ２０の１／４以上となっている（図６参照）。つまり、胴周り部２０では、少なくとも着用者の前側（後側）胴周りの１／４以上の範囲で、一対のシート２１，２２が互いに接合されていることになる。おむつ１の着用動作時には、着用者（若しくは着用させる者）によって胴周り部２０の幅方向の１／４以上の範囲が掴まれて引っ張り上げられることが想定される。したがって、胴周り部２０の幅方向の１／４以上で一対のシート２１，２２が接合されていることにより、おむつ１の着用動作時に、胴周り部２０が破れたり、一対のシート２１，２２が剥離したりすることが抑制される。すなわち、胴周り部２０全体として強度を高めることができる。なお、本実施形態のおむつ１では、上述のように、複数のシート接合部６０の面積の合計が、所定の大きさ以下に制限されているため、胴周り部２０の柔軟性はしっかりと確保されており、着用者に不快感を与え難くなっている。
【００８１】
また、長手方向において、シート接合部６０の長さＬ６０は、胴周り部２０の上端２０ｅｕと、吸収性本体１０の上端１０ｅｕとの間の距離Ｄｅｕの半分以上の長さを有している（Ｌ６０≧Ｄｅｕ×１／２）。すなわち、本実施形態の胴周り部２０では、長手方向において、上端２０ｅｕと吸収性本体１０の上端１０ｅｕとの間の領域の半分以上で、一対のシート２１，２２と連続伸縮部材２３１とがシート接合部６０によって接合されている。
【００８２】
このＤｅｕで表される領域は、胴回り部２０のうち、厚さ方向に積層されているシート部材の枚数が最も少ないため、剛性が低くたくれを生じやすい部位である。これに対して、おむつ１では、胴回り部２０がたくれやすい領域のうち、長手方向の半分以上の範囲にシート接合部６０が設けられている。したがって、胴回り部２０がたくれやすい領域の半分以上の範囲で、シート接合部６０が胴回り部２０を構成するシート２１，２２を上下方向に支える柱のように機能し、胴回り部２０にたくれが生じることを抑制しやすくなる。
【００８３】
また、おむつ１を着用する際に、胴周り部２０のうち吸収性本体１０の上端１０ｅｕよりも上側の領域は、着用者（若しくは着用させる者）によって手で掴まれて引っ張られる部位であることから、十分な強度が要求される。したがって、胴周り部２０の上端部のうち長手方向の１／２以上の範囲にシート接合部６０が設けられていることにより、胴周り部２０の上端部（Ｄｅｕの部分）の強度が十分に確保され、当該部分が長手方向（おむつ１の上下方向）に引っ張られた場合であっても、胴周り部２０が破れてしまうことが抑制される。
【００８４】
そして、シート接合部６０は、胴周り部２０の上端２０ｅｕと吸収性本体１０の上端１０ｅｕとの間の領域（Ｄｅｕの部分）で、長手方向に連続して設けられている。このように、シート接合部６０が長手方向に連続して形成されていることにより、胴回り部２０を構成するシート２１，２２がシート接合部６０によって長手方向に連続的に支持される。したがって、胴回り部２０にたくれが生じることをより抑制しやすくなる。また、胴周り部２０の上端部において、長手方向に連続した領域の強度が全体的に高められる。したがって、シート接合部６０が長手方向に断続的に形成されている場合と比較して、胴周り部２０の上端部が長手方向（おむつ１の上下方向）に引っ張られた際に、該胴周り部２０の上端部が破れたりシート２１，２２同士の接合が剥がれたりすることが抑制されやすくなる。
【００８５】
ただし、胴周り部２０の上端２０ｅｕには、シート接合部６０が設けられていない（図６参照）。言い換えると、シート接合部６０は、長手方向において胴周り部２０の上端２０ｅｕから下側に所定の間隔を空けて設けられている。すなわち、端部固定部５０，５０の幅方向の間の領域において、胴周り部２０の上端２０ｅｕには、一対のシート２１，２２を互いに接合する接合部が設けられておらず、該上端２０ｅｕは、所謂ドライエッジとなっている。この胴周り部２０の上端２０ｅｕは、おむつ１の着用時に、着用者の肌（胴周り）と直接接触するエッジ部であり、仮に上端２０ｅｕ（エッジ）に接合部が形成されていた場合、該上端２０ｅｕの剛性が高くなり、硬いエッジが肌に食い込むことにより着用者に不快感を与えるおそれがある。そこで、おむつ１では、胴周り部２０の上端２０ｅｕをドライエッジとして柔軟性を確保することで、おむつ１着用時に該上端２０ｅｕが着用者の肌に食い込まないようにして、良好な肌触りを実現できるようにしている。なお、当該領域（端部固定部５０，５０の幅方向の間の領域）では、シート接合部６０だけではなく、連続伸縮部材２３１を一対のシート２１，２２に固定するためのいかなる接着材も設けられていない。
【００８６】
また、シート接合部６０は、長手方向において胴周り部２０の中心位置ＣＬ２０よりも上側に配置されている（図６参照）。上述したように、おむつ１を着用する際に、着用者等は胴周り部２０を掴んで、上方へ引っ張り上げる動作を行うが、このとき、胴周り部２０の長手方向の上側の領域が掴まれる可能性が高い。また、胴周り部２０のうち、中心位置ＣＬ２０よりも長手方向の上側、且つ吸収性本体１０と重複していない領域では、おむつ１の着用動作時に上方へ引っ張り上げられる際に、たくれが生じやすい。本実施形態のおむつ１では、胴周り部２０の中央の位置ＣＬ２０よりも上側にシート接合部６０を設けることにより、当該領域の強度を高め、おむつ１の着用動作時に胴周り部２０が破れたりたくれが生じたりすることを効果的に抑制することができる。
【００８７】
また、シート接合部６０は、幅方向において、胴周り部２０の中心位置ＣＷ２０を跨ぐように配置されていることが望ましい。連続伸縮部材２３１は、端部固定部５０，５０の幅方向の間の領域中の非固定部５１にて上下方向に移動可能であることを説明した。仮に、部接合部５０，５０の間にシート接合部６０が１つも設けられていなかった場合、端部固定部５０，５０の中間点（中心位置ＣＷ２０）にて、連続伸縮部材２３１の上下方向の移動量（すなわち上下方向の振幅）が最大になる可能性がある。そこで、おむつ１では、幅方向の中心位置ＣＷ２０にシート接合部６０を設け、該中心位置ＣＷ２０において連続伸縮部材２３１を一対のシート２１，２２に固定する。つまり、連続伸縮部材２３１の振幅が最大になる可能性がある点において、連続伸縮部材２３１の上下方向の位置ずれを制限する。
【００８８】
本実施形態では、図６に示されるように、複数設けられたシート接合部６０，６０…のうち、幅方向の中央に位置する中央シート接合部６１が、胴周り部２０の幅方向の中心位置ＣＷ２０を跨ぐように配置されている。したがって、中心位置ＣＷ２０において連続伸縮部材２３１が一対のシート２１，２２に固定されるため、当該中心位置ＣＷ２０における連続伸縮部材２３１の上下方向の位置ずれを相対的に小さくすることができる。これにより、胴周り部２０がたくれることを抑制しやすくなる。
【００８９】
そして、シート接合部６０の幅方向における長さ（幅）は、幅方向の中央に位置する中央シート接合部６１において最も大きくなるようにすることがより望ましい。つまり、複数のシート接合部６０，６０…のうち、中央シート接合部６１の幅Ｗ６１が、中央シート接合部６１以外の他のシート接合部６０の幅Ｗ６０よりも広い（長い）ことが望ましい。例えば、図６に示される複数のシート接合部６０の幅方向における長さ（幅）Ｗ６０はいずれも同じであるが、中央シート接合部６１の幅Ｗ６１が、他のシート接合部６０の幅Ｗ６０よりも広くなるようにしても良い。このような構成であれば、中心位置ＣＷ２０において、連続伸縮部材２３１が一対のシート２１，２２間に固定される部分の範囲（幅）を広くすることができる。これにより、連続伸縮部材２３１の上下方向の位置ずれをより抑制しやすくすることができる。したがって、胴周り部２０のたくれをより抑制しやすくなる。
【００９０】
また、複数のシート接合部６０，６０…のうちの少なくとも一部が、幅方向において、吸収性本体１０の両端１０ｅｓ，１０ｅｓと重複して配置されていることが望ましい。図６では、複数のシート接合部６０，６０…のうち、所定のシート接合部６２が、幅方向において、吸収性本体１０の両端１０ｅｓ，１０ｅｓと重複して配置されている。胴周り部２０のうち、吸収性本体１０と重複している領域では、吸収性本体１０と重複していない領域と比較して剛性が高くなっている。したがって、胴周り部２０では、吸収性本体１０の幅方向両端１０ｅｓ，１０ｅｓにおいて大きな剛性差が発生している。そして、胴周り部２０のうち、剛性が低い部分では、剛性が高い部分と比較して、シート２１，２２が変形を生じやすい。すなわち、吸収性本体１０の幅方向両端１０ｅｓ，１０ｅｓは、剛性差が生じる境界部であって、胴周り部２０にたくれが生じる起点となりやすい。
【００９１】
そこで、本実施形態のおむつ１では、剛性差が生じる境界部と重複するように、シート接合部６２を設け、吸収性本体１０の幅方向両端１０ｅｓ，１０ｅｓと重複する部分における胴周り部２０の剛性を高めている。これにより、両端１０ｅｓを境界とする剛性の変化が小さくなり、たくれの起点が形成されることが抑制される。したがって、胴周り部２０にたくれが生じることをより抑制しやすくすることができる。
【００９２】
また、おむつ１では、図４及び図５で説明したように、吸収性本体１０と、胴周り部２０（３０）とを接合する複数の本体接合部７０，７０…が設けられている。そして、この本体接合部７０は、長手方向においてシート接合部６０と重複する部分を有している。これにより、胴周り部２０が長手方向に折れ曲がったり、長手方向に変形してたくれが生じたりすることを抑制することができる。
【００９３】
本実施形態のおむつ１では、図４に示されるように、胴周り部２０の長手方向の上側の領域にシート接合部６０が設けられ、長手方向の下側の領域に、本体接合部７０が設けられている。このような構成において、仮に、シート接合部６０と本体接合部７０とが長手方向に重複する部分を有していない場合、すなわち、長手方向においてシート接合部６０と本体接合部７０との間に所定の間隔が設けられていた場合、当該間隔の部分では、接合部６０，７０が設けられている部分と比較して、胴周り部２０の剛性が低くなる。すると、当該間隔の部分（剛性の低い部分）が関節の様に機能して、折れ曲がりの起点が形成され、胴周り部２０が長手方向に変形を生じやすくなるおそれがある。
【００９４】
これに対して、本実施形態のおむつ１では、長手方向においてシート接合部６０と本体接合部７０とが少なくとも一部で重複しており、上述のように剛性が低くなる部分（間隔）が形成され難いため、胴周り部２０が長手方向に折れ曲がったり変形したりすることが抑制される。したがって、胴周り部２０にたくれが生じることをより効果的に抑制することができる。
【００９５】
さらにおむつ１では、厚さ方向（パンツ型状態における前後方向）に見たときに、シート接合部６０と本体接合部７０とは、少なくとも一部で重複する部分を有している。つまり、シート接合部６０と本体接合部７０とは、長手方向に重複し、かつ、幅方向に重複する部分を有している。これにより、当該重複部分において胴周り部２０の剛性がより高くなり、たくれをより生じ難くすることができる。また、シート接合部６０と本体接合部７０とが厚さ方向に重複する部分では、シート接合部６０と本体接合部７０とが一体的に構成されるため、胴周り部２０にたくれが生じることをより抑制しやすくなる。例えば、図４で、胴周り部２０の幅方向の中央部に設けられている中央シート接合部６１と中央本体接合部７１とが、長手方向に沿って連続した接合部となっていることから、胴周り部２０の長手方向の広い範囲に亘って剛性が確保されやすくなる。したがって、胴周り部２０の長手方向への変形やたくれの発生が抑制されやすくなる。
【００９６】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９７】
おむつ１の背側胴周り部３０には、図２及び図３に示されるような後処理テープ８０が設けられていても良い。後処理テープ８０は、例えば、上下方向に長い略矩形状のテープ状の部材（テープ部材）であり、上下方向（長手方向）の一方側にテープ固定部８１（図２において斜線部で表示されている）を有し、上下方向（長手方向）の他方側に粘着部７２を有している。テープ固定部８１は接着剤等によって形成され、後処理テープ８０は、背側胴周り部３０の非肌側シート３２の非肌側面に、該テープ固定部８１によって剥離不能に固定されている。粘着部８２には粘着剤が塗布されており、おむつ１の使用前には、後処理テープ８０の一部が、粘着部８２を内側にして折り畳まれており、粘着部８２が外部に露出しないようにして粘着部８２の粘着面を保護している。
【００９８】
使用後のおむつ１を廃棄する際には、吸収性本体１０が内側になるように縦方向に丸めたおむつ１に対して、折り畳まれている後処理テープ８０を伸ばしながら引っ張って粘着部８２を露出させ、該粘着部８２側をおむつ１に巻き回す。これにより、おむつ１を丸めた状態に保持することが可能となり、おむつ１の内部（吸収性本体１０）に付着した排泄物等を外部に漏出させることなくおむつ１を廃棄することができる。
【００９９】
なお、後処理テープ８０が設けられる場合、厚さ方向（前後方向）に見たときに、テープ固定部８１とシート接合部６０とが重複する部分を有するように、後処理テープ８０を配置すると良い。このようにすれば、おむつ１の使用後に後処理テープ８０が厚さ方向の非肌側に引っ張られたときに、テープ固定部８１を介して厚さ方向に接合された肌側シート３１及び非肌側シート３２の両方のシートが引っ張られる。したがって、胴周り部３０を構成するシート３１，３２が破れてしまうことが抑制され、また、後処理テープ８０を引っ張る力が胴周り部３０に伝達されやすくなる。これにより、使用後のおむつ１の後処理を行いやすくすることができる。
【符号の説明】
【０１００】
１  パンツ型使い捨ておむつ（吸収性物品）、
１０  吸収性本体、
１１  吸収体、１１Ａ  吸収性コア、１１Ｂ  コアラップシート、
１２  トップシート、１３  バックシート、１４  外装シート、
２０  腹側胴周り部（胴周り部）、３０  背側胴周り部（胴周り部）、
２１，３１  肌側シート（シート）、
２２，３２  非肌側シート（シート）、
２３，３３  胴周り伸縮部材、
２３１  連続伸縮部材（伸縮部材）、
２３１ｂ  第１連続伸縮部材（第１伸縮部材）、
２３１ｃ  第２連続伸縮部材（第２伸縮部材）、
２３２  非連続伸縮部材、
４０  係止部、
５０，５５  端部固定部、
５１，５６  非固定部、
６０  シート接合部、６１  中央シート接合部、６２  シート接合部、
７０  本体接合部、７１  中央本体接合部、
８０  後処理テープ、８１  テープ固定部、８２  粘着部
【図１】
2020151258.tif 000003
【図２】
2020151258.tif 000004
【図３】
2020151258.tif 000005
【図４】
2020151258.tif 000006
【図５】
2020151258.tif 000007
【図６】
2020151258.tif 000008